(57)【要約】【課題】駆動リングの外周に装填した環状リングの上にゴミ捕捉ロールを載置して回動させる清掃具において、前後進操作のスムースを図ること。【解決手段】フレーム１５に駆動リング１８Ｂを回動可能に支持し、駆動リング１８Ｂの外周に装填した環状リング１８Ｄの上にゴミ捕捉ロール２１を回動自在に載置してなる清掃具１０であって、環状リング１８Ｄが、駆動リング１８Ｂに対して摺動可能に掛け回したもの。【選択図】  図１
2004195029.tif 000002
【特許請求の範囲】
【請求項１】
フレームに駆動リングを回動可能に支持し、駆動リングの外周に装填した環状リングの上にゴミ捕捉ロールを回動自在に載置してなる清掃具であって、
環状リングは、駆動リングに対して摺動可能に掛け回した清掃具。
【請求項２】
フレームに駆動リングを回動可能に支持し、駆動リングの外周に装填した環状リングの上にゴミ捕捉ロールを回動自在に載置してなる清掃具であって、
環状リングの内径を、駆動リングにおける該環状リングが装填される外周径よりも大径にした清掃具。
【請求項３】
前記環状リングにおける周方向で、ゴミ捕捉ロールが載置されない部分に、駆動リングの外周に対する間隙を形成した請求項１又は２に記載の清掃具。
【請求項４】
前記環状リングと駆動リングの外周との間に潤滑剤を設けた請求項１〜３のいずれかに記載の清掃具。
【請求項５】
前記環状リングがシリコンゴムからなる請求項１〜４のいずれかに記載の清掃具。
【請求項６】
前記フレームにおける駆動リングよりも清掃進み方向の前方側に掻き上げ体を回動自在に配置し、掻き上げ体と環状リングの上にゴミ捕捉ロールを並べて回動自在に載置した請求項１〜５のいずれかに記載の清掃具。
【発明の詳細な説明】
【０００１】
【発明の属する技術分野】
本発明は清掃具に関する。
【０００２】
【従来の技術】
清掃具として、特許文献１に記載の如く、フレームに駆動リングを回動可能に支持し、駆動リングの外周に装填したＯリングの上に、ゴミ捕捉ロールとしての粘着ロールを回動自在に載置したものがある。この清掃具では、清掃進み方向の前後に移動するときに、駆動リングを床面との摩擦力によって回動させ、駆動リングの外周のＯリングの回転に連れ回る粘着ロールにより床面上のゴミを捕捉可能にする。
【０００３】
【特許文献１】
特願2002-196478（［００２７］、図１）
【０００４】
【発明が解決しようとする課題】
特許文献１の清掃具では、Ｏリングが駆動リングの外周に緊張状態で弾発的に、換言すれば周方向に滑りなく装填される。この清掃具を床面上で前進から後退させたとき、駆動リング及びＯリングは直ちに反転するが、粘着ロールは慣性によって直ちには反転しない。このため、粘着ロールはＯリングから衝撃的な反対方向回転力を付与されてＯリングの上から跳ね上がる。跳ね上がった粘着ロールは、これに続く落下によりＯリングに衝撃的にくい込み、Ｏリング及び駆動リングに衝撃的な制動力を付与し、清掃具のスムースな後退操作を困難にする。
【０００５】
本発明の課題は、駆動リングの外周に装填した環状リングの上にゴミ捕捉ロールを載置して回動させる清掃具において、前後進操作のスムースを図ることにある。
【０００６】
【課題を解決するための手段】
請求項１の発明は、フレームに駆動リングを回動可能に支持し、駆動リングの外周に装填した環状リングの上にゴミ捕捉ロールを回動自在に載置してなる清掃具であって、環状リングは、駆動リングに対して摺動可能に掛け回したものである。
【０００７】
【発明の実施の形態】
清掃具１０は、図１、図２に示す如く、柄１１の先端部に継手部１２を介して支持アーム１３を結合し、支持アーム１３の両側アーム部１３Ａに支軸部１４（不図示）を介してフレーム１５を前後方向に揺動自在に支持している。
【０００８】
フレーム１５の前部には可撓掻き上げ体１６が回転軸１７を介して回動自在に支持され、フレーム１５の後部には回転体１８が回転軸１９を介して回動自在に支持され、掻き上げ体１６と回転体１８は平行に並べられて配置される。
【０００９】
掻き上げ体１６は、支軸１６Ａと、支軸１６Ａの軸方向の全長に渡って植設されたブラシからなる掻き上げ部１６Ｂと、支軸１６Ａの両端部に結合された両側のタイヤ部１６Ｃからなり、タイヤ部１６Ｃに前述の回転軸１７を備える。両側のタイヤ部１６Ｃはフレーム１５の両外側に配置される。掻き上げ部１６Ｂはゴミ捕捉ロール２１に接触しても、接触しなくても良い。
【００１０】
回転体１８は、支軸１８Ａと、支軸１８Ａの軸方向の両端側２位置（軸方向３位置等の複数位置でも可）に固定される円盤状の駆動リング１８Ｂと、支軸１８Ａの両端部に結合された両側のタイヤ部１８Ｃからなり、タイヤ部１８Ｃは前述の回転軸１９を備える。両側のタイヤ部１８Ｃはフレーム１５の両外側に配置される。
【００１１】
ここで、回転体１８の駆動リング１８Ｂは、図３、図４に示す如く、環状リング１８Ｄを外周に備える。環状リング１８Ｄは駆動リング１８Ｂの外周に設けた環状溝１８Ｅに装填される。
【００１２】
環状リング１８Ｄはシリコンゴム製Ｏリング等の丸断面をもち（但し、環状リング１８Ｄは角断面等の他の断面形状をもつものでも可）、環状溝１８Ｅは円筒状溝底とその両側の外径側に向けて拡開勾配をなすテーパ状側面をもつ。
【００１３】
そして、環状リング１８Ｄの内径ｄｉを、駆動リング１８Ｂの環状溝１８Ｅにおける環状リング１８Ｄが装填される外周径、即ち環状溝１８Ｅの溝底径ｄｏよりも大径にし、本実施形態では、環状リング１８Ｄの周方向で後述するゴミ捕捉ロール２１が載置されない部分の内径側に、環状溝１８Ｅの溝底に対する間隙ａを形成する。これにより、環状リング１８Ｄは、駆動リング１８Ｂに対して摺動可能に掛け回されている。
【００１４】
また、環状リング１８Ｄの断面幅ｗｉを、駆動リング１８Ｂの環状溝１８Ｅの溝底幅ｗｏより狭幅とし、ゴミ捕捉ロール２１が及ぼす下向き加圧力によって環状リング１８Ｄの断面がつぶれても、環状リング１８Ｄの両側面が環状溝１８Ｅの両側面に当たることのないように、環状リング１８Ｄの側面と環状溝１８Ｅの側面との間に間隙ｂを形成する。
【００１５】
環状リング１８Ｄと駆動リング１８Ｂの外周の環状溝１８Ｅとの間には、シリコンオイル等の潤滑剤Ｌを設けても良い。潤滑剤Ｌは環状溝１８Ｅの溝内に塗布、散布する等により設けることができる。
【００１６】
清掃具１０では、フレーム１５における駆動リング１８Ｂよりも清掃進み方向の前方側に掻き上げ体１６を配置し、掻き上げ体１６と駆動リング１８Ｂの外周の環状リング１８Ｄの上にゴミ捕捉ロール２１を並べて回動自在に載置する。ゴミ捕捉ロール２１は、掻き上げ体１６（掻き上げ部１６Ｂ）と回転体１８（環状リング１８Ｄ）の回転に連れ回る。
【００１７】
フレーム１５の上部はゴミ捕捉ロール２１の出し入れ口とされ、取外し可能な透明カバー１５Ａにより被覆される。ゴミ捕捉ロール２１は、粘着シートの巻取りロールの構成、又は表面が粘着性のエラストマーからなり、その表面を洗浄して再使用可能とする構成等を含む。本実施例のゴミ捕捉ロール２１は、粘着シート２１Ａをコア２１Ｂに巻き回し、粘着シート２１Ａの粘着面を外側に向けて巻出し可能かつ切断可能にした巻取りロールにて構成される。
【００１８】
フレーム１５における掻き上げ体１６の後部には塵取部２３が支持されている。塵取部２３は、床面に接する底面部２３Ａと、掻き上げ体１６に隙間なく（又は隙間を介して）相対する曲面状（又は平面状）のすくい面部２３Ｂと、回転体１８の駆動リング１８Ｂの下方の前後に渡る範囲に延在される凹状のゴミ受け部２３Ｃを有する。塵取部２３は、フレーム１５に後述する如くに上下に揺動可能に支持され、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、その全てのゴミをすくい面部２３Ｂによりゴミ捕捉ロール２１の側にガイドし、大きなゴミはすくい面部２３Ｂに後続するゴミ受け部２３Ｃに送り込む。
【００１９】
清掃具１０では、塵取部２３をフレーム１５に対し、掻き上げ体１６とは独立に上下に揺動可能に支持するとともに、塵取部２３のゴミ受け部２３Ｃをフレーム１５から開放可能に支持した。
【００２０】
具体的には、塵取部２３における掻き上げ体１６に近い側の前側端を揺動部４０（塵取部２３の前端側両側面に設けたピン４１を、フレーム１５の両側壁に設けた長孔４２の中で上下動可能に係入したもの）によりフレーム１５に揺動可能に支持する。また、塵取部２３における掻き上げ体１６から遠い側の後側端に設けた係脱部５０の孔５１を、フレーム１５に設けた係脱可能ピン５２に係脱可能にし、孔５１を係脱可能ピン５２から外して塵取部２３の後側端をフレーム１５から開放可能に支持する。塵取部２３の孔５１をフレーム１５の係脱可能ピン５２に係入した状態で、係脱可能ピン５２を塵取部２３の揺動の中心軸とし、塵取部２３の孔５１をフレーム１５の係脱可能ピン５２から外した状態で、揺動部４０を塵取部２３の開放の中心軸とする。
【００２１】
清掃具１０による清掃動作は以下の通りなされる。
(1)柄１１の軸方向に加える操作力により清掃具１０を清掃進み方向に沿って床面上にて前後進させ、掻き上げ体１６及び回転体１８を床面との摩擦力により回動させ、同時にゴミ捕捉ロール２１を連れ回り回転させる。
【００２２】
(2)掻き上げ体１６の掻き上げ部１６Ａが床面上のゴミを掻き上げると、このゴミは塵取部２３にガイドされてゴミ捕捉ロール２１の側に送り出され、ゴミ捕捉ロール２１の粘着面に吸着捕捉される。
【００２３】
(3)透明カバー１５Ａを通してゴミ捕捉ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００２４】
尚、塵取部２３は、底面部２３Ａの尾端部をアール状に跳ね上げ、後進時にこの尾端部が床面に引掛かるのを防止する。
【００２５】
清掃具１０にあっては、前述した如く、回転体１８が支軸１８Ａと駆動リング１８Ｂとからなるものにしたから、下記(a)、(b)の構成を具備することになる。回転体１８の支軸１８Ａ及び駆動リング１８Ｂは、フレーム１５と塵取部２３に挟まれる空間に配置される。
【００２６】
(a)回転体１８の支軸１８Ａは、駆動リング１８Ｂが固定されていない部分で、ゴミ捕捉ロール２１と大きな隙間を介して離隔する（図２）。
【００２７】
(b)回転体１８の支軸１８Ａは、駆動リング１８Ｂが固定されていない部分で、塵取部２３（ゴミ受け部２３Ｃの底面２３Ｄ）と、大きな隙間を介して離隔する（図１）。ゴミ受け部２３Ｃの底面２３Ｄのうち、駆動リング１８Ｂに相対する部分は円弧状くぼみ部２３Ｅとされる。
【００２８】
本実施形態によれば以下の作用効果がある。
▲１▼清掃具１０は、駆動リング１８Ｂをスムースに回動させながら、ゴミ捕捉ロール２１を確実に回転させ、掻き上げ体１６が掻き上げる塵埃をゴミ捕捉ロール２１の新規粘着面によって確実に捕捉できる。
【００２９】
▲２▼清掃具１０の前進時には、図５（Ａ）に示す如く、駆動リング１８Ｂの回転力ｔがゴミ捕捉ロール２１における駆動リング１８Ｂと掻き上げ体１６に挟まれる下面を前方に向けて移動させてゴミ捕捉ロール２１に下向き力ｆを及ぼす。これにより、ゴミ捕捉ロール２１は環状リング１８Ｄとの接点で、環状リング１８Ｄを下向き加圧し、環状リング１８Ｄを駆動リング１８Ｂの外周にくい込ませるように作用し、駆動リング１８Ｂに対する環状リング１８Ｄのグリップ力を増強、ひいてはゴミ捕捉ロール２１の回転の確実を図ることができる。
【００３０】
▲３▼清掃具１０の後退時には、図５（Ｂ）に示す如く、駆動リング１８Ｂの回転力ｔがゴミ捕捉ロール２１における駆動リング１８Ｂと掻き上げ体１６に挟まれる下面を後方に向けて移動させてゴミ捕捉ロール２１に上向き力ｆを及ぼす。これにより、ゴミ捕捉ロール２１は環状リング１８Ｄとの接点で、環状リング１８Ｄから上に離れようとし、環状リング１８Ｄを駆動リング１８Ｂに対して滑り易くする。
【００３１】
▲４▼清掃具１０では、環状リング１８Ｄの内径ｄｉを駆動リング１８Ｂの外周径ｄｏよりも大径に設定しており、換言すれば周方向に滑り可能な状態で装填されている。この清掃具１０を床面上で前進から後退させると、駆動リング１８Ｂは直ちに反転し、ゴミ捕捉ロール２１は慣性によって直ちには反転せず、駆動リング１８Ｂとゴミ捕捉ロール２１に挟まれている環状リング１８Ｄは駆動リング１８Ｂの外周に対し周方向に滑る。従って、環状リング１８Ｄはゴミ捕捉ロール２１に衝撃的な反対方向回転力を付与せず、ゴミ捕捉ロール２１は環状リング１８Ｄの上から跳ね上がらないし、その慣性を徐々に失う。これにより、駆動リング１８Ｂは環状リング１８Ｄを滑りなく回転させるようになるとともに、ゴミ捕捉ロール２１を反転させるようになり、清掃具１０をスムースに後退操作させるものになる。
【００３２】
▲５▼環状リング１８Ｄと駆動リング１８Ｂの外周との間に間隙ａを形成したから、環状リング１８Ｄの上述▲４▼の滑りの確実を図ることができる。
【００３３】
▲６▼環状リング１８Ｄと駆動リング１８Ｂの外周との間に潤滑剤Ｌを設けることにより、環状リング１８Ｄの上述▲４▼の滑りの確実を図ることができる。
【００３４】
▲７▼環状リング１８Ｄがシリコンゴムからなるものとすることにより、駆動リング１８Ｂ、ゴミ捕捉ロール２１に対する環状リング１８Ｄの回転方向でのグリップ力を高くしながら、ゴミ捕捉ロール２１、特に粘着ロールに対する環状リング１８Ｄの粘着性を弱めることができる。従って、粘着ロールの粘着力を上げても環状リング１８Ｄが粘着ロールに貼り付かず、駆動リング１８Ｂ及び環状リング１８Ｄをスムースに回動できる。
【００３５】
また、本実施形態によれば以下の作用効果もある。
(a)回転体１８が支軸１８Ａと駆動リング１８Ｂからなり、支軸１８Ａは駆動リング１８Ｂが固定されていない部分で、ゴミ捕捉ロール２１と離隔する。このため、掻き上げ体１６に掻き上げられた大きなゴミがゴミ捕捉ロール２１に付着しても、ゴミは支軸１８Ａとの間の大きな隙間を通過してゴミ捕捉ロール２１とともに回転し、ゴミ捕捉ロール２１のスムースな回転を妨げない。ゴミ捕捉ロール２１により大きなゴミも安定的に捕集できる。
【００３６】
(b)回転体１８の支軸１８Ａは、駆動リング１８Ｂが固定されていない部分で塵取部２３と離隔する。このため、塵取部２３の内部の広い範囲において、支軸１８Ａが塵取部２３の内面との間に大きな隙間を形成し、塵取部２３のゴミ収容量を多くする。
【００３７】
(c)掻き上げ体１６により掻き上げられて塵取部２３に送り込まれたゴミは、清掃具１０の掻き上げ体１６の側を持ち上げる傾斜により、塵取部２３の回転体１８より前側（掻き上げ体１６に近い側）から、回転体１８の支軸１８Ａの下方の大きな隙間をスムースに通過し、塵取部２３の回転体１８より後側に移動できる。ゴミは、掻き上げ体１６と回転体１８とゴミ捕捉ロール２１により遮られることのない塵取部２３の後側に移動し、使用者によるゴミのたまり具合の視認性を向上できる。また、ゴミは塵取部２３の回転体１８より後側に移動されるから、塵取部２３に入ったゴミが塵取部２３の取り込み口たるすくい面部２３Ｂからこぼれ落ちることがない。
【００３８】
(d)回転体１８は、駆動リング１８Ｂの外周に環状リング１８Ｄを設けたから、駆動リング１８Ｂとゴミ捕捉ロール２１の接触面積が小さくなり、ゴミ捕捉ロール２１の粘着力を上げても駆動リング１８Ｂがゴミ捕捉ロール２１に貼り付かず、回転体１８はスムースに転動できる。従って、清掃具１０は、床面上で回転体１８をスムースに転動させながら、高い粘着力のゴミ捕捉ロール２１を確実に回転させ、掻き上げ体１６が掻き上げる塵埃をゴミ捕捉ロール２１の新規粘着面により確実に捕捉する。
【００３９】
尚環状リング１８Ｄとしては、シリコンゴム等の低粘着性軟質リングの他に、フッ素樹脂、テフロン（登録商標）等の低粘着性硬質リングを採用できる。
【００４０】
【発明の効果】
本発明によれば、駆動リングの外周に装填した環状リングの上にゴミ捕捉ロールを載置して回動させる清掃具において、前後進操作のスムースを図ることができる。
【図面の簡単な説明】
【図１】図１は清掃具を示す側面図である。
【図２】図２は清掃具を示す平面図である。
【図３】図３は回転体を示す斜視図である。
【図４】図４は駆動リングと環状リングを示す断面図である。
【図５】図５は清掃具の前後進の回転状態を示す模式図である。
【符号の説明】
１０  清掃具
１５  フレーム
１６  掻き上げ体
１８Ｂ  駆動リング
１８Ｄ  環状リング
２１  ゴミ捕捉ロール
【図１】
2004195029.tif 000003
【図２】
2004195029.tif 000004
【図３】
2004195029.tif 000005
【図４】
2004195029.tif 000006
【図５】
2004195029.tif 000007